(57)【要約】【課題】  低コストでＳ／Ｎの十分な確保とダイナミックレンジの十分な確保とを両立し信号の良好な品質の確保を図る。【解決手段】  種類の異なる複数のディスク状記録媒体１００ａ、１００ｂへ向けて該各ディスク状記録媒体に対応した異なる波長を有する複数のレーザー光を出射するように構成し、種類の異なる各ディスク状記録媒体に対する情報信号の再生を可能とすると共に少なくとも１種類のディスク状記録媒体に対して情報信号の記録を可能とし、出射された各レーザー光の進行方向に応じて該レーザー光を反射し又は透過するビームスプリッター１２と、異なる波長を有する少なくとも２種類のレーザー光を受光する少なくとも１つの受光素子１６とを設け、ビームスプリッターから受光素子までのレーザー光の光路中に、波長選択性を有しレーザー光の波長に応じて透過率が異なる光学フィルター機能を持った薄膜１７を付加した素子を設けた。【選択図】        図２
2005108288.tif 000002
【特許請求の範囲】
【請求項１】
ディスクテーブルに装着されるディスク状記録媒体の半径方向へ移動する移動ベースと該移動ベースに配置された対物レンズ駆動装置とを備え、種類の異なる複数のディスク状記録媒体へ向けて該各ディスク状記録媒体に対応した異なる波長を有する複数のレーザー光を出射するように構成され、種類の異なる各ディスク状記録媒体に対する情報信号の再生が可能とされると共に少なくとも１種類のディスク状記録媒体に対して情報信号の記録が可能とされた光ピックアップであって、
出射された各レーザー光の進行方向に応じて該レーザー光を反射し又は透過するビームスプリッターと、
異なる波長を有する少なくとも２種類のレーザー光を受光する少なくとも１つの受光素子とを備え、
ビームスプリッターから受光素子までのレーザー光の光路中に、波長選択性を有しレーザー光の波長に応じて透過率が異なる光学フィルター機能を持った薄膜を付加した素子を設けた
ことを特徴とする光ピックアップ。
【請求項２】
光学フィルター機能を持った薄膜をビームスプリッターの出射面に設けた
ことを特徴とする請求項１に記載の光ピックアップ。
【請求項３】
受光素子はレーザー光を受光する受光部を覆うパッケージを有し、
光学フィルター機能を持った薄膜を受光素子のパッケージに設けた
ことを特徴とする請求項１に記載の光ピックアップ。
【請求項４】
種類の異なる複数のディスク状記録媒体が各別に装着されて回転されるディスクテーブルと、ディスク状記録媒体の半径方向へ移動される移動ベース上に配置された対物レンズ駆動装置を有しディスク状記録媒体の種類に対応して異なる波長を有する複数のレーザー光を出射するように構成された光ピックアップとを備え、種類の異なる各ディスク状記録媒体に対する情報信号の再生が可能とされると共に少なくとも１種類のディスク状記録媒体に対して情報信号の記録が可能とされたディスクドライブ装置であって、
上記光ピックアップは、
出射された各レーザー光の進行方向に応じて該レーザー光を反射し又は透過するビームスプリッターと、
異なる波長を有する少なくとも２種類のレーザー光を受光する少なくとも１つの受光素子とを備え、
ビームスプリッターから受光素子までのレーザー光の光路中に、波長選択性を有しレーザー光の波長に応じて透過率が異なる光学フィルター機能を持った薄膜を付加した素子を設けた
ことを特徴とするディスクドライブ装置。
【請求項５】
光学フィルター機能を持った薄膜をビームスプリッターの出射面に設けた
ことを特徴とする請求項４に記載のディスクドライブ装置。
【請求項６】
受光素子はレーザー光を受光する受光部を覆うパッケージを有し、
光学フィルター機能を持った薄膜を受光素子のパッケージに設けた
ことを特徴とする請求項４に記載のディスクドライブ装置。
【発明の詳細な説明】
【技術分野】
【０００１】
本発明は光ピックアップ及びディスクドライブ装置についての技術分野に関する。詳しくは、種類の異なるディスク状記録媒体に対する情報信号の記録及び再生を行う光ピックアップ及びディスクドライブ装置において、性能の向上を図る技術分野に関する。
【背景技術】
【０００２】
ディスク状記録媒体に対する情報信号の記録や再生を行うディスクドライブ装置があり、このようなディスクドライブ装置は、ディスクテーブルに装着されるディスク状記録媒体の半径方向へ移動し該ディスク状記録媒体に対して対物レンズを介してレーザー光を照射して情報信号の記録又は再生を行う光ピックアップを備えている。
【０００３】
ディスクドライブ装置には１つの光ピックアップによって記録面の反射率やレーザー光の出力が異なる複数のディスク状記録媒体に対して情報信号の記録及び再生が可能とされたものがある。
【０００４】
ディスク状記録媒体としては、レーザー光の使用波長が７８５ｎｍ付近である上記したＣＤの他、使用波長が６６０ｎｍ付近であるＤＶＤ（Digital Versatile Disc）や使用波長が４０５ｎｍ付近であるＢｌｕ―ｒａｙディスク等が存在する。
【０００５】
上記のような使用波長が異なる複数の種類のディスク状記録媒体に対して情報信号の記録や再生が可能な光ピックアップにあっては、例えば、複数の記録層（記録面）を有するＤｕａｌ  Ｌａｙｅｒディスクと称されるディスク状記録媒体、±ＲＷ系のディスク状記録媒体、ＲＡＭ（Random Access Memory）系のディスク状記録媒体等の反射率の低いディスク状記録媒体（ＤＶＤ）に対する再生時には、受光素子への入射光量が高倍速の記録時と比較して少ないため、ゲインが低くＳ／Ｎ（信号成分とノイズ成分の比）が悪化して信号の品質に悪影響を与えるおそれがある。
【０００６】
また、高倍速の記録時には、受光素子への入射光量が再生時と比較して多くなるため、受光素子のダイナミックレンジ（最大信号レベルと最小信号レベルの差）の十分な確保が為されず受光素子の飽和が生じ、やはり信号の品質に悪影響を与えるおそれがある。
【０００７】
上記のような受光素子への入射光量の相違は、記録倍速が向上する程、大きくなってしまい、近年の記録再生の高倍速化において一層大きくなる傾向にある。
【０００８】
例えば、ＣＤとＤＶＤに対する情報信号の記録及び再生が可能とされた光ピックアップにおいて１つの受光素子を用いて信号の検出を行う場合には、ＤＶＤはＣＤに対して信号の周波数レベルが高いため、特に、高倍速の再生時においてはＣＤの場合と比較してＳ／Ｎが悪化し易い。この場合、発光素子（レーザーダイオード）のレーザー光の出力を大きくすることによりＳ／Ｎの悪化を防止することが可能であるが、同時に情報信号の再生時の出力も大きくなり、記録された情報の消去等のおそれが生じるために、この方法を採用することは困難である。
【０００９】
また、ＣＤは、ＤＶＤよりも情報信号の高倍速記録を行う仕様が多いため、ＣＤの記録時にはＤＶＤに対して受光素子への入射光量が多く、反射率の低いＤＶＤを高倍速で再生する場合のＳ／Ｎの十分な確保とＣＤを高倍速で記録する場合のダイナミックレンジの十分な確保とを両立させることが必要であり、この両立が図れない場合には、反射率の低いＤＶＤに対する再生とＣＤに対する記録に関し、高倍速化が制限されてしまう。
【００１０】
そこで、従来の光ピックアップには、液晶等の電気的に透過率が可変されるフィルターやＮＤフィルター等の機械的動作により透過率が可変されるフィルターを用いて、Ｓ／Ｎ及び受光素子のダイナミックレンジの確保を図り、信号の品質を向上させるようにしたものがある（例えば、特許文献１参照）。
【００１１】
【特許文献１】特開平１１―７３６７７号公報
【発明の開示】
【発明が解決しようとする課題】
【００１２】
ところが、上記した従来の光ピックアップにあっては、Ｓ／Ｎ及び受光素子のダイナミックレンジの確保を図るために、液晶等の電気的に透過率が可変されるフィルターやＮＤフィルター等の機械的動作により透過率が可変されるフィルターを用いているため、これらの駆動のための動力が必要となり消費電力が大きく、また、液晶自体も高価であるためにコスト高であるという問題がある。
【００１３】
また、液晶やＮＤフィルター等の駆動回路も必要となるため、一層コストが高くなってしまう。
【００１４】
さらに、液晶やＮＤフィルターを使用することにより、その分、光学系の光路が長くなり、光ピックアップの薄型化に支障を来たすという問題もある。
【００１５】
そこで、本発明光ピックアップ及びディスクドライブ装置は、上記した問題点を克服し、低コストでＳ／Ｎの十分な確保とダイナミックレンジの十分な確保とを両立し信号の良好な品質の確保を図ることを課題とする。
【課題を解決するための手段】
【００１６】
本発明光ピックアップは、上記した課題を解決するために、種類の異なる複数のディスク状記録媒体へ向けて該各ディスク状記録媒体に対応した異なる波長を有する複数のレーザー光を出射するように構成され、種類の異なる各ディスク状記録媒体に対する情報信号の再生が可能とされると共に少なくとも１種類のディスク状記録媒体に対して情報信号の記録が可能とされ、出射された各レーザー光の進行方向に応じて該レーザー光を反射し又は透過するビームスプリッターと、異なる波長を有する少なくとも２種類のレーザー光を受光する少なくとも１つの受光素子とを設け、ビームスプリッターから受光素子までのレーザー光の光路中に、波長選択性を有しレーザー光の波長に応じて透過率が異なる光学フィルター機能を持った薄膜を付加した素子を設けたものである。
【００１７】
本発明ディスクドライブ装置は、上記した課題を解決するために、ディスク状記録媒体の種類に対応して異なる波長を有する複数のレーザー光を出射するように構成された光ピックアップを備え、種類の異なる各ディスク状記録媒体に対する情報信号の再生が可能とされると共に少なくとも１種類のディスク状記録媒体に対して情報信号の記録が可能とされ、光ピックアップに、出射された各レーザー光の進行方向に応じて該レーザー光を反射し又は透過するビームスプリッターと、異なる波長を有する少なくとも２種類のレーザー光を受光する少なくとも１つの受光素子とを設け、ビームスプリッターから受光素子までのレーザー光の光路中に、波長選択性を有しレーザー光の波長に応じて透過率が異なる光学フィルター機能を持った薄膜を付加した素子を設けたものである。
【００１８】
従って、本発明光ピックアップ及びディスクドライブ装置にあっては、光学フィルター機能を持った薄膜に入射されたレーザー光の透過量が波長に応じて変化する。
【発明の効果】
【００１９】
本発明光ピックアップは、ディスクテーブルに装着されるディスク状記録媒体の半径方向へ移動する移動ベースと該移動ベースに配置された対物レンズ駆動装置とを備え、種類の異なる複数のディスク状記録媒体へ向けて該各ディスク状記録媒体に対応した異なる波長を有する複数のレーザー光を出射するように構成され、種類の異なる各ディスク状記録媒体に対する情報信号の再生が可能とされると共に少なくとも１種類のディスク状記録媒体に対して情報信号の記録が可能とされた光ピックアップであって、出射された各レーザー光の進行方向に応じて該レーザー光を反射し又は透過するビームスプリッターと、異なる波長を有する少なくとも２種類のレーザー光を受光する少なくとも１つの受光素子とを備え、ビームスプリッターから受光素子までのレーザー光の光路中に、波長選択性を有しレーザー光の波長に応じて透過率が異なる光学フィルター機能を持った薄膜を付加した素子を設けたことを特徴とする。
【００２０】
従って、反射率の低いディスク状記録媒体を高倍速で再生する場合のＳ／Ｎの十分な確保と別の種類のディスク状記録媒体を高倍速で記録する場合のダイナミックレンジの十分な確保とを低コストで両立させることができ、信号の良好な品質を確保することができる。
【００２１】
また、薄膜を使用しているため、光学系の光路が長くならず、光ピックアップの薄型化を図ることができる。
【００２２】
請求項２に記載した発明にあっては、光学フィルター機能を持った薄膜をビームスプリッターの出射面に設けたので、通常、減反射のためのＡＲコートが施されるだけの出射面に設けることにより、光学フィルター機能を持った薄膜の形成を容易に行うことができる。
【００２３】
請求項３に記載した発明にあっては、受光素子はレーザー光を受光する受光部を覆うパッケージを有し、光学フィルター機能を持った薄膜を受光素子のパッケージに設けたので、通常平面に形成されたパッケージの表面に設けることにより、光学フィルター機能を持った薄膜の形成を容易に行うことができる。
【００２４】
本発明ディスクドライブ装置は、種類の異なる複数のディスク状記録媒体が各別に装着されて回転されるディスクテーブルと、ディスク状記録媒体の半径方向へ移動される移動ベース上に配置された対物レンズ駆動装置を有しディスク状記録媒体の種類に対応して異なる波長を有する複数のレーザー光を出射するように構成された光ピックアップとを備え、種類の異なる各ディスク状記録媒体に対する情報信号の再生が可能とされると共に少なくとも１種類のディスク状記録媒体に対して情報信号の記録が可能とされたディスクドライブ装置であって、上記光ピックアップは、出射された各レーザー光の進行方向に応じて該レーザー光を反射し又は透過するビームスプリッターと、異なる波長を有する少なくとも２種類のレーザー光を受光する少なくとも１つの受光素子とを備え、ビームスプリッターから受光素子までのレーザー光の光路中に、波長選択性を有しレーザー光の波長に応じて透過率が異なる光学フィルター機能を持った薄膜を付加した素子を設けたことを特徴とする。
【００２５】
従って、反射率の低いディスク状記録媒体を高倍速で再生する場合のＳ／Ｎの十分な確保と別の種類のディスク状記録媒体を高倍速で記録する場合のダイナミックレンジの十分な確保とを低コストで両立させることができ、信号の良好な品質を確保することができる。
【００２６】
また、薄膜を使用しているため、光学系の光路が長くならず、光ピックアップの薄型化によるディスクドライブ装置の小型化を図ることができる。
【００２７】
請求項５に記載した発明にあっては、光学フィルター機能を持った薄膜をビームスプリッターの出射面に設けたので、通常、減反射のためのＡＲコートが施されるだけの出射面に設けることにより、光学フィルター機能を持った薄膜の形成を容易に行うことができる。
【００２８】
請求項６に記載した発明にあっては、受光素子はレーザー光を受光する受光部を覆うパッケージを有し、光学フィルター機能を持った薄膜を受光素子のパッケージに設けたので、通常平面に形成されたパッケージの表面に設けることにより、光学フィルター機能を持った薄膜の形成を容易に行うことができる。
【発明を実施するための最良の形態】
【００２９】
以下に、本発明光ピックアップ及びディスクドライブ装置の最良の形態を添付図面に従って説明する。
【００３０】
ディスクドライブ装置１は、外筐２内に所要の各部材及び各機構が配置されて成り（図１参照）、外筐２には図示しないディスク挿入口が形成されている。
【００３１】
外筐２内には図示しないシャーシが配置され、該シャーシに取り付けられたスピンドルモーターのモーター軸にディスクテーブル３が固定されている。
【００３２】
シャーシには、平行なガイド軸４、４が取り付けられると共に図示しない送りモーターによって回転されるリードスクリュー５が支持されている。
【００３３】
光ピックアップ６は、移動ベース７と該移動ベース７に設けられた所要の光学部品と移動ベース７上に配置された対物レンズ駆動装置８とを有し、移動ベース７の両端部に設けられた軸受部７ａ、７ｂがそれぞれガイド軸４、４に摺動自在に支持されている。移動ベース７に設けられた図示しないナット部材がリードスクリュー５に螺合され、送りモーターによってリードスクリュー５が回転されると、ナット部材がリードスクリュー５の回転方向へ応じた方向へ送られ、光ピックアップ６がディスクテーブル３に装着されるディスク状記録媒体１００の半径方向へ移動される。
【００３４】
ディスク状記録媒体１００としては、例えば、ＤＶＤ１００ａとＣＤ１００ｂが用いられる。
【００３５】
以上のようにして構成されたディスクドライブ装置１において、スピンドルモーターの回転に伴ってディスクテーブル３が回転されると、該ディスクテーブル３に装着されたディスク状記録媒体１００、即ち、ＤＶＤ１００ａ又はＣＤ１００ｂが回転され、同時に、光ピックアップ６がディスク状記録媒体１００の半径方向へ移動されてディスク状記録媒体１００に対する記録動作又は再生動作が行われる。
【００３６】
光ピックアップ６は、図２に示すように、例えば、第１の発光素子９、第２の発光素子１０、光軸合成素子１１、ビームスプリッター１２、コリメーターレンズ１３、対物レンズ１４、マルチレンズ１５及び受光素子１６を備え、第１の発光素子９、第２の発光素子１０、光軸合成素子１１、ビームスプリッター１２、コリメーターレンズ１３、マルチレンズ１５及び受光素子１６は移動ベース７に配置され、対物レンズ１４は対物レンズ駆動装置８に設けられている。
【００３７】
第１の発光素子９としては、例えば、約６６０ｎｍの波長を有するレーザ光を出射する半導体レーザーが用いられ、第２の発光素子１０としては、例えば、約７８５ｎｍの波長を有するレーザ光を出射する半導体レーザーが用いられている。尚、ディスク状記録媒体１００として、例えば、Ｂｌｕ―ｒａｙディスクが用いられる場合には、約４０５ｎｍの波長を有するレーザー光が出射される発光素子が用いられる。
【００３８】
光軸合成素子１１は、例えば、第１の発光素子９から出射されたレーザー光を反射し、第２の発光素子１０から出射されたレーザー光を透過し、第１の発光素子９から出射されたレーザー光と第２の発光素子１０から出射されたレーザー光の光軸を合成する機能を有する。
【００３９】
ビームスプリッター１２はガラス等の平板状の部材を基材として形成され、例えば、レーザー光の入射面１２ａに半透過ミラーコーティングが施され、出射面１２ｂに減反射（ＡＲ）コーティングが施されている。
【００４０】
コリメーターレンズ１３は、入射されたレーザー光の光束を平行光束とする機能を有する。
【００４１】
対物レンズ１４は入射されたレーザー光をディスク状記録媒体１００の記録面に集光する機能を有する。
【００４２】
マルチレンズ１５は、非点収差量の調整や光学倍率の変換を行うと共に受光素子１６にレーザー光を集光する機能を有する。
【００４３】
マルチレンズ１５の入射面又は出射面には光学フィルター機能を持った薄膜１７が設けられている。光学フィルター機能を持った薄膜１７は波長選択性を有しレーザー光の波長に応じて入射されたレーザー光の透過率が異なる機能を有する。光学フィルター機能を持った薄膜１７は、例えば、光学プラスチックを基材とした支持層に酸化チタンや酸化珪素等を基材とする光学薄膜層が積層されて成る。光学フィルター機能を持った薄膜１７は、図３に示すように、波長６６０ｎｍ付近の波長の短いレーザー光に対しては透過率が高く、波長７８５ｎｍ付近の波長の長いレーザー光に対しては透過率が低くなるように形成されている。例えば、波長６６０ｎｍ付近においては、ＤＶＤ１００ａ、特に、ＤＶＤ±ＲＷ、ＤＶＤ−ＲＡＭ等の反射率の低いＤＶＤ１００ａの高倍速の再生時の十分なＳ／Ｎを確保することができる透過率とされ、波長７８５ｎｍ付近においては、ＣＤ１００ｂの高倍速の記録時の受光素子１６のダイナミックレンジが十分に確保され受光素子１６の飽和が生じないような透過率とされている。
【００４４】
受光素子１６は受光部１６ａが透明材料によって形成されたパッケージ１６ｂに覆われて成る。
【００４５】
以上のように構成された光ピックアップ６において、第１の発光素子９から第１の波長（約６６０ｎｍ）を有するレーザー光が出射されると、出射されたレーザー光は光軸合成素子１１で反射され、続いて、ビームスプリッター１２の入射面１２ａで反射されてコリメーターレンズ１３によって平行光束とされ、対物レンズ１４を介してディスクテーブル３に装着されたＤＶＤ１００ａの記録面に集光される。ＤＶＤ１００ａの記録面に集光されたレーザー光は、該記録面で反射されて戻り光として再び対物レンズ１４及びコリメーターレンズ１３を介してビームスプリッター１２に入射される。ビームスプリッター１２に入射された戻り光は、ビームスプリッター１２を透過され、その出射面１２ｂから出射されマルチレンズ１５を介して受光素子１６に入射され、光電変換されて、例えば、ＤＶＤ１００ａに記録された信号の再生が行われる。
【００４６】
一方、第２の発光素子１０から第２の波長（約７８５ｎｍ）を有するレーザー光が出射されると、出射されたレーザー光は光軸合成素子１１を透過され、続いて、ビームスプリッター１２の入射面１２ａで反射されてコリメーターレンズ１３によって平行光束とされ、対物レンズ１４を介してディスクテーブル３に装着されたＣＤ１００ｂの記録面に集光される。ＣＤ１００ｂの記録面に集光されたレーザー光は、該記録面で反射されて戻り光として再び対物レンズ１４及びコリメーターレンズ１３を介してビームスプリッター１２に入射される。ビームスプリッター１２に入射された戻り光は、ビームスプリッター１２を透過され、その出射面１２ｂから出射されマルチレンズ１５を介して受光素子１６に入射され、光電変換されて、例えば、ＣＤ１００ｂに記録された信号の再生が行われる。このとき受光素子１６に入射されるレーザー光は、光学フィルター機能を持った薄膜１７によってビームスプリッター１２からマルチレンズ１５へ向かったレーザー光に対して光量が抑制される。
【００４７】
図４は、光学フィルター機能を持った薄膜１７の有無による受光素子１６の受光光量の変化の一例を示す図表である。
【００４８】
図４中、「ＭＯＤＥ（倍速）」は再生時又は記録時における倍速を示し、「対物出射（ＭＡＩＮ）」は対物レンズ１４の出射光における１次光の出力を示している。
【００４９】
図４に示すように、ＤＶＤ−Ｒの場合には、光学フィルター機能を持った薄膜１７の有無に拘わらず、受光光量が０．０１２ｍＷ又は０．９３１ｍＷとされ、変化していない。一方、ＣＤ−Ｒの場合には、光学フィルター機能を持った薄膜１７が設けられていないときには、受光光量が０．０８６ｍＷ又は２．１４６ｍＷとされ、光学フィルター機能を持った薄膜１７が設けられているときには、受光光量が０．０６９ｍＷ又は１．７１７ｍＷとされ、光学フィルター機能を持った薄膜１７によって受光光量が約２０％低減されている。
【００５０】
以上に記載した通り、ディスクドライブ装置１にあっては、ビームスプリッター１２から受光素子１６までのレーザー光の光路中に、レーザー光の波長に応じて透過率が異なる光学フィルター機能を持った薄膜１７が設けられているため、ＣＤ１００ｂの場合にはＤＶＤ１００ａの場合に比しレーザー光の透過率が低くされる。
【００５１】
従って、反射率の低いＤＶＤ１００ａを高倍速で再生する場合のＳ／Ｎの十分な確保とＣＤ１００ｂを高倍速で記録する場合のダイナミックレンジの十分な確保とを両立させることができ、信号の良好な品質を確保することができる。
【００５２】
また、従来の光ピックアップのように、液晶等の電気的に透過率が可変されるフィルターやＮＤフィルター等の機械的動作により透過率が可変されるフィルターを用いないため、これらの駆動のための動力や駆動回路が必要とならず、コストの増大を来たすことなくＳ／Ｎ及びダイナミックレンジの十分な確保を図ることができる。
【００５３】
また、光学フィルター機能を持った薄膜１７を用いているため、光学系の光路が長くならず、光ピックアップ６の薄型化を図ることができる。
【００５４】
上記には、ビームスプリッター１２と受光素子１６との間の光路に配置されたマルチレンズ１５に光学フィルター機能を持った薄膜１７を設けた例を示したが、光学フィルター機能を持った薄膜１７の位置はこの位置に限られることはなく、ビームスプリッター１２から受光素子１６までの何れの位置に設けてもよい。
【００５５】
例えば、ビームスプリッター１２と受光素子１６との間の光路に倍率変換を行うための調整レンズや非点収差、コマ収差等の収差の補正を行うための補正プレート等が配置されている場合には、これらの調整レンズや補正プレートに光学フィルター機能を持った薄膜１７を設けてもよい。
【００５６】
また、ビームスプリッター１２の入射面１２ａ又は出射面１２ｂに光学フィルター機能を持った薄膜１７を設けることも可能である。特に、ビームスプリッター１２の出射面１２ｂに光学フィルター機能を持った薄膜１７を設ける場合には、通常、出射面１２ｂには減反射のためのＡＲコートが施されるだけであるため、光学フィルター機能を持った薄膜１７の形成を容易に行うことができる。
【００５７】
さらに、図５に示すように、受光素子１６のパッケージ１６ｂの表面に光学フィルター機能を持った薄膜１７を設けることも可能である。パッケージ１６ｂの表面は通常平面に形成されており、光学フィルター機能を持った薄膜１７の形成を容易に行うことができる。
【００５８】
尚、上記には、ＤＶＤ１００ａとＣＤ１００ｂの２種類のディスク状記録媒体１００を使用するディスクドライブ装置１を例として示したが、ディスク状記録媒体１００の種類はＤＶＤ１００ａとＣＤ１００ｂに限られることはなく、Ｂｌｕ―ｒａｙディスク等の他のディスクであってもよい。
【００５９】
また、本発明は、使用波長の異なる２種類のディスク状記録媒体１００が使用されるディスクドライブ装置及びこれに設けられた光ピックアップに適用できる他、使用波長の異なる３種類以上のディスク状記録媒体１００が使用されるディスクドライブ装置及びこれに設けられた光ピックアップに適用することもできる。この場合に、例えば、３種類のディスク状記録媒体１００が使用されるときには、波長が異なる少なくとも２種類のレーザー光を受光する少なくとも１つの受光素子が必要とされる。
【００６０】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００６１】
【図１】図２乃至図５と共に本発明を実施するための最良の形態を示すものであり、本図はディスクドライブ装置の概略斜視図である。
【図２】光ピックアップの構成を示す概念図である。
【図３】光学フィルター機能を持った薄膜に入射する波長と透過率との関係を示すグラフ図である。
【図４】光学フィルター機能を持った薄膜の有無による受光素子の受光光量の変化の一例を示す図表である。
【図５】光学フィルター機能を持った薄膜が受光素子のパッケージに設けられた例を示す概念図である。
【符号の説明】
【００６２】
１００…ディスク状記録媒体、１…ディスクドライブ装置、３…ディスクテーブル、６…光ピックアップ、７…移動ベース、８…対物レンズ駆動装置、１２…ビームスプリッター、１２ｂ…出射面、１６…受光素子、１６ａ…受光部、１６ｂ…パッケージ、１７…光学フィルター機能を持った薄膜
【図１】
2005108288.tif 000003
【図２】
2005108288.tif 000004
【図３】
2005108288.tif 000005
【図４】
2005108288.tif 000006
【図５】
2005108288.tif 000007